(57)【要約】【課題】容器の外方に伸長させるきのこの下部が、その容器の筒状の口周囲を覆うのを防いで、そのきのこの収穫作業を容易化できる、きのこ栽培用のキャップを提供する。【解決手段】容器の筒状の口１２に被せるキャップの天井壁６２に、きのこ５０を通過させる穴６４を設ける。キャップの天井壁６２の外側周囲には、鍔６６を延設する。そして、容器１０に充填された培地２０から発芽して、その容器の筒状の口１２内側とキャップ天井壁の穴６４とを通して、容器１０外方に伸長するきのこ５０の下部を、キャップの天井壁６２と鍔６６とにより支持する。そして、その鍔６６上面とキャップの天井壁６２上面とに亙ってカッタ７０の刃をスライドさせることにより、容器１０外方に生育したきのこ５０を、その容器の筒状の口１２の上端近くのきのこ５０部分から削ぎ取って収穫できるようにする。【選択図】        図１
2004305077.tif 000002
【特許請求の範囲】
【請求項１】
きのこ栽培用の容器の筒状の口に被せるキャップであって、前記容器に充填された培地から発芽して、その容器の筒状の口内側を通して、容器外方に伸長するきのこを通過させる穴が、前記筒状の口の上端を覆うキャップの天井壁に設けられ、前記容器外方に伸長するきのこの下部を支持する鍔が、該鍔上面をキャップの天井壁上面とほぼ同一平面上に位置させて、キャップの天井壁の外側周囲に延設されてなることを特徴とするきのこ栽培用のキャップ。
【請求項２】
きのこ栽培用の袋の開口部周縁が巻き掛けられた筒状の口に被せるキャップであって、
前記袋に充填された培地から発芽して、その袋の開口部周縁が巻き掛けられた筒状の口内側を通して、袋外方に伸長するきのこを通過させる穴が、前記筒状の口の上端を覆うキャップの天井壁に設けられ、前記袋外方に伸長するきのこの下部を支持する鍔が、該鍔上面をキャップの天井壁上面とほぼ同一平面上に位置させて、キャップの天井壁の外側周囲に延設されてなることを特徴とするきのこ栽培用のキャップ。
【請求項３】
前記容器の筒状の口又は袋の開口部周縁が巻き掛けられた筒状の口の内径よりも小径の穴が、前記キャップの天井壁のほぼ中央に設けられた請求項１又は２記載のきのこ栽培用のキャップ。
【請求項４】
前記容器の筒状の口又は袋の開口部周縁が巻き掛けられた筒状の口の内径と同一か又はそれに近い径の穴が、前記キャップの天井壁のほぼ中央に設けられた請求項１又は２記載のきのこ栽培用のキャップ。
【発明の詳細な説明】
【０００１】
【発明の属する技術分野】
本発明は、ひらたけ、ぶなしめじ、舞茸、ヤマブシタケ等のきのこ栽培に用いられる、きのこ栽培用のキャップに関する。
【０００２】
【従来の技術】
上記きのこの人工栽培においては、一般に、図１１に示したような、きのこ栽培用のポリプロピレン製等の容器１０に、きのこ栽培用の培地２０を充填している。又は図１２に示したような、きのこ栽培用のポリプロピレン製等の袋３０に、きのこ栽培用の培地２０を充填している。次いで、その培地２０にきのこの菌糸を培養し、その培地からきのこの子実体（以下、きのこと略す）を、発芽させている。そして、容器１０の場合には、図１１に示したように、そのきのこ５０を、容器の筒状の口１２内側を通して、容器１０外方に収穫可能な大きさになるまで伸長させている。また、袋３０の場合には、図１２に示したように、その袋３０の開口部周縁が巻き掛けられたプラスチック製などの硬質の筒状の口３２内側を通して、その培地２０から発芽させたきのこ５０を、袋３０外方に収穫可能な大きさになるまで伸長させている。
また、このようにして栽培したひらたけ、ぶなしめじ、舞茸、ヤマブシタケ等のきのこ５０を収穫する際には、その容器１０又は袋３０の外方に大きく伸長させたきのこ５０の可食部分を、容器の筒状の口１２又は袋の開口部周縁が巻き掛けられた筒状の口３２の上端近くのきのこ５０部分から、カッタ（図示せず）等により削ぎ取る方法が、近時、採用されている。
この収穫方法によれば、その収穫されたきのこ５０を食する際に、そのきのこ５０の可食部分から、石付き（白い塊状をしたきのこの菌床部分）９０が着いたきのこ５０の根元部分を包丁等により切り落として、廃棄する必要を無くすことができる。そして、その収穫されたきのこ５０を、無駄なく全食できる。
【０００３】
【発明が解決しようとする課題】
しかしながら、上記のようにして、ひらたけ、ぶなしめじ、舞茸、ヤマブシタケ等のきのこを栽培した場合には、そのきのこ５０の下部が、図１１に示したように、容器の筒状の口１２周囲に扇状等に広がって生長し、その筒状の口１２周囲を覆ってしまった。又は、そのきのこ５０の下部が、図１２に示したように、袋の開口部周縁が巻き掛けられた筒状の口３２周囲に扇状等に広がって生長し、その筒状の口３２周囲を覆ってしまった。
そのために、近時の上記収穫方法により、その容器１０又は袋３０の外方に伸長させたきのこ５０の可食部分を、容器の筒状の口１２又は袋の開口部周縁が巻き掛けられた筒状の口３２の上端近くのきのこ５０部分から、カッタ等により削ぎ取って収穫する際には、その容器の筒状の口１２又は袋の開口部周縁が巻き掛けられた筒状の口３２周囲を覆うきのこ５０の下部が邪魔となった。そして、そのきのこ５０の可食部分を、容器の筒状の口１２又は袋の開口部周縁が巻き掛けられた筒状の口３２の上端近くのきのこ５０部分から、カッタ等により、手数を掛けずに容易かつ円滑に削ぎ取ることができなかった。
具体的には、上記収穫方法により容器１０又は袋３０の外方に伸長させたきのこ５０の可食部分を収穫する際には、その容器の筒状の口１２又は袋の開口部周縁が巻き掛けられた筒状の口３２周囲を覆うきのこ５０下部の傘等を痛めぬようにして、そのきのこ５０下部を、容器の筒状の口１２又は袋の開口部周縁が巻き掛けられた筒状の口３２の上端よりも上方に手等で持ち上げなければならなかった。そして、そのきのこ５０下部の下方に露出した容器の筒状の口１２又は袋の開口部周縁が巻き掛けられた筒状の口３２の上端近くのきのこ５０部分を、カッタ等によりカットしなければならなかった。
【０００４】
本発明は、このような課題を解消可能な、容器又は袋の外方に伸長させるきのこの下部が、その容器の筒状の口又は袋の開口部周縁が巻き掛けられた筒状の口周囲を覆うのを防いで、そのきのこの収穫作業を容易化できる、容器の筒状の口又は袋の開口部周縁が巻き掛けられた筒状の口に被せて用いる、きのこ栽培用のキャップ（以下、キャップという）を提供することを目的としている。
【０００５】
【課題を解決するための手段】
このような目的を達成するために、本発明の第１のキャップは、きのこ栽培用の容器の筒状の口に被せるキャップであって、その容器の筒状の口の上端を覆うキャップの天井壁には、容器に充填された培地から発芽して、その容器の筒状の口内側を通して、容器外方に伸長するきのこを通過させる穴が設けられている。
キャップの天井壁の外側周囲には、容器外方に伸長するきのこの下部を支持する鍔が、該鍔上面をキャップの天井壁上面とほぼ同一平面上に位置させて、延設されている。
【０００６】
この第１のキャップにおいては、容器に充填された培地から発芽して、その容器の筒状の口内側を通して、容器外方に伸長しようとするきのこを、その容器の筒状の口の上端を覆うキャップの天井壁に設けられた穴内側を通過させることができる。そして、そのきのこを、その容器の筒状の口に被せられたキャップに妨害されることなく、容器外方に大きく伸長させることができる。
その際には、その容器の外方に伸長するきのこ下部の内側部分を、その容器の筒状の口の上端を覆うキャップの穴周囲の天井壁上面であって、その容器の筒状の口の上端よりも上方に位置するキャップの天井壁上面により支持できる。
それと共に、その容器外方に伸長するきのこ下部の外側部分を、キャップの天井壁の外側周囲に延設された鍔上面であって、キャップを被せた容器の筒状の口の上端よりも上方のキャップの天井壁上面とほぼ同一平面上に位置する鍔上面により支持できる。
換言すれば、その容器の外方に伸長するきのこ下部を、キャップの天井壁上面と鍔上面とにより、容器の筒状の口の上端よりも上方に位置するキャップの天井壁上面とほぼ同一高さ位置に支持できる。
その結果、その容器の外方に伸長するきのこの下部が、その周囲に扇状等に広がって、容器の筒状の口周囲を覆うのを、防ぐことができる。そして、カッタの刃等を、キャップの鍔上面から該鍔上面とほぼ同一平面上に位置するキャップの天井壁上面に亙ってスライドさせることにより、その容器の外方に伸長したきのこを、その脆弱な傘等を手で持ち上げる等して痛めることなく、キャップの天井壁の穴近くのきのこ部分から容易かつ円滑に削ぎ取って収穫できる。
【０００７】
また、本発明の第２のキャップは、きのこ栽培用の袋の開口部周縁が巻き掛けられた筒状の口に被せるキャップであって、その筒状の口の上端を覆うキャップの天井壁には、袋に充填された培地から発芽して、その袋の開口部周縁が巻き掛けられた筒状の口内側を通して、袋外方に伸長するきのこを通過させる穴が設けられている。キャップの天井壁の外側周囲には、その袋外方に伸長するきのこの下部を支持する鍔が、該鍔上面をキャップの天井壁上面とほぼ同一平面上に位置させて、延設されている。
【０００８】
この第２のキャップにおいては、その袋に充填された培地から発芽して、その袋の開口部周縁が巻き掛けられた筒状の口内側を通して、袋外方に伸長しようとするきのこを、その筒状の口の上端を覆うキャップの天井壁に設けられた穴内側を通過させることができる。そして、そのきのこを、その筒状の口に被せられたキャップに妨害されることなく、袋の外方に大きく伸長させることができる。
その際には、その袋の外方に伸長するきのこ下部の内側部分を、その筒状の口の上端を覆うキャップの穴周囲の天井壁上面であって、その筒状の口の上端よりも上方に位置するキャップの天井壁上面により支持できる。
それと共に、その袋外方に伸長するきのこ下部の外側部分を、キャップの天井壁の外側周囲に延設された鍔上面であって、キャップを被せた筒状の口の上端よりも上方のキャップの天井壁上面とほぼ同一平面上に位置する鍔上面により支持できる。
換言すれば、その袋の外方に伸長するきのこ下部を、キャップの天井壁上面と鍔上面とにより、袋の開口部周縁が巻き掛けられた筒状の口の上端よりも上方に位置するキャップの天井壁上面とほぼ同一高さ位置に支持できる。
その結果、その袋の外方に伸長するきのこの下部が、その周囲に扇状等に広がって、袋の開口部周縁が巻き掛けられた筒状の口周囲を覆うのを、防ぐことができる。そして、カッタの刃等を、キャップの鍔上面から該鍔上面とほぼ同一平面上に位置するキャップの天井壁上面に亙ってスライドさせることにより、その袋の外方に伸長したきのこを、その脆弱な傘等を手で持ち上げる等して痛めることなく、キャップの天井壁の穴近くのきのこ部分から容易かつ円滑に削ぎ取って収穫できる。
【０００９】
本発明の第１又は第２のキャップにおいては、前記容器の筒状の口又は袋の開口部周縁が巻き掛けられた筒状の口の内径よりも小径の穴が、前記キャップの天井壁のほぼ中央に設けられた構造とすると良い。
【００１０】
その場合には、容器の筒状の口又は袋の開口部周縁が巻き掛けられた筒状の口内側に覗く培地の周辺部分から発芽した発育状態の悪い側子や遅れっ子と呼ばれる小さなきのこが生長するのを、そのきのこの上方を覆うキャップの穴周囲の天井壁により、阻止できる。そして、その容器の筒状の口又は袋の開口部周縁が巻き掛けられた筒状の口内側に覗く培地のほぼ中央から発芽した発育状態の良いきのこのみを、選別して、その上方のキャップ天井壁のほぼ中央に設けられた穴内側を通して、容器又は袋の外方に大きく生育させることができる。その結果、側子や遅れっ子を含まない良品質のきのこ栽培が可能となる。
【００１１】
本発明の第１又は第２のキャップにおいては、前記容器の筒状の口又は袋の開口部周縁が巻き掛けられた筒状の口の内径と同一か又はそれに近い径の穴が、前記キャップの天井壁のほぼ中央に設けられた構造としても良い。
【００１２】
その場合には、その容器の筒状の口又は袋の開口部周縁が巻き掛けられた筒状の口内側を一杯になって、容器又は袋の外方に伸長するきのこの生長を、第１又は第２のキャップの天井壁が妨害するのを、確実に防ぐことができる。
【００１３】
【発明の実施の形態】
図１は本発明の第１のキャップの好適な実施の形態を示し、図１はその使用状態を示す正面断面図である。以下に、この第１のキャップを説明する。
【００１４】
図１には、きのこ栽培用の容器１０の筒状の口１２に被せる第１のキャップ６０が示されている。第１のキャップ６０は、容器の筒状の口１２の上端を覆う平板状をした天井壁６２と、該天井壁周縁に下方に筒状に延設された帯リング６８とから構成されている。帯リング６８内側には、容器の筒状の口１２上部の外側周囲が係止されている。そして、第１のキャップ６０が、容器の筒状の口１２に動かぬように離脱可能に係止されている。
容器の筒状の口１２の上端を覆うキャップの天井壁６２には、容器１０に充填された培地２０から発芽して、その容器の筒状の口１２内側を通して、容器１０外方に伸長するきのこ５０を通過させる穴６４が設けられている。
キャップの天井壁６２の外側周囲には、容器１０外方に伸長するきのこ５０の下部を支持する平板状の鍔６６が、該鍔上面をキャップの天井壁６２上面とほぼ同一平面上に位置させて、延設されている。
【００１５】
図１に示した第１のキャップ６０は、以上のように構成されている。
次に、この第１のキャップの使用例並びにその作用を説明する。
図１に示したように、きのこ５０を栽培中の容器の筒状の口１２に、第１のキャップ６０を被せる。そして、その容器１０に充填されたきのこの菌糸が培養された培地２０から発芽して、その容器の筒状の口１２内側を通して、容器１０外方に伸長しようとするきのこ５０を、その容器の筒状の口１２の上端を覆うキャップの天井壁６２に設けられた穴６４内側を通過させる。
すると、そのきのこ５０を、その容器の筒状の口１２に被せられた第１のキャップ６０に妨害されることなく、容器１０外方に大きく伸長させることができる。
その際には、その容器１０の外方に伸長するきのこ５０下部の内側部分を、その容器の筒状の口１２の上端を覆うキャップの穴６４周囲の天井壁６２上面であって、その容器の筒状の口１２の上端よりも上方に位置するキャップの天井壁６２上面により支持する。
それと共に、その容器１０外方に伸長するきのこ５０下部の外側部分を、キャップの天井壁６２の外側周囲に延設された鍔６６上面であって、第１のキャップ６０を被せた容器の筒状の口１２の上端よりも上方のキャップの天井壁６２上面とほぼ同一平面上に位置するキャップの鍔６６上面により支持する。
すると、その容器１０の外方に伸長するきのこ５０下部を、キャップの天井壁６２上面と鍔６６上面とにより、容器の筒状の口１２の上端よりも上方に位置するキャップの天井壁６２上面とほぼ同一高さ位置に支持できる。
そして、その容器１０の外方に伸長するきのこ５０下部が、その周囲に扇状等に広がって、容器の筒状の口１２周囲を覆うのを、防ぐことができる。
上記のようにして、きのこ５０を容器１０の外方に収穫するまでに伸長させた後には、図１に破線で示したように、カッタ７０の刃等を、キャップの鍔６６上面からキャップの天井壁６２上面に亙って、スライドさせる。
すると、そのカッタ７０の刃等を、容器１０の外方に伸長したきのこ５０下部に妨害されずに、キャップの鍔６６上面から該鍔上面とほぼ同一平面上に位置するキャップの天井壁６２上面に亙って、支障なく円滑にスライドさせることができる。そして、その容器１０の外方に伸長したきのこ５０を、その脆弱な傘等を手で持ち上げる等して痛めることなく、キャップの天井壁の穴６４近くのきのこ５０部分から容易かつ円滑に削ぎ取って収穫できる。
【００１６】
図２は本発明の第２のキャップの好適な実施の形態を示し、図２はその使用状態を示す正面断面図である。以下に、この第２のキャップを説明する。
【００１７】
図２には、きのこ栽培用の袋３０の開口部周縁が巻き掛けられたプラスチック製等の硬質の筒状の口３２に被せる第２のキャップ８０が示されている。袋３０の開口部周縁は、例えば、筒状の口３２の内側を通して、その筒状の口３２の外側に折り曲げられて、その筒状の口３２周囲に巻き掛けられている。第２のキャップ８０は、袋３０の開口部周縁が巻き掛けられた容器の筒状の口３２の上端を覆う平板状をした天井壁８２と、該天井壁周縁に下方に筒状に延設された帯リング８８とから構成されている。帯リング８８内側には、袋３０の開口部周縁が巻き掛けられた筒状の口３２上部の外側周囲が係止されている。そして、第２のキャップ８０が、袋３０の開口部周縁が巻き掛けられた筒状の口３２に動かぬように離脱可能に係止されている。
袋３０の開口部周縁が巻き掛けられた筒状の口３２の上端を覆うキャップの天井壁８２には、袋３０に充填された培地２０から発芽して、その袋の開口部周縁が巻き掛けられた筒状の口３２内側を通して、袋３０外方に伸長するきのこを通過させる穴８４が設けられている。
キャップの天井壁８２の外側周囲には、袋３０外方に伸長するきのこの５０下部を支持する平板状の鍔８６が、該鍔上面をキャップの天井壁８２上面とほぼ同一平面上に位置させて、延設されている。
【００１８】
図２に示した第２のキャップ８０は、以上のように構成されている。
次に、この第２のキャップ８０の使用例並びにその作用を説明する。
図２に示したように、きのこ５０を栽培中の袋３０の開口部周縁が巻き掛けられた筒状の口３２に、第２のキャップ８０を被せる。そして、その袋３０に充填されたきのこの菌糸が培養された培地２０から発芽して、その袋の開口部周縁が巻き掛けられた筒状の口３２内側を通して、袋３０外方に伸長しようとするきのこ５０を、その袋の開口部周縁が巻き掛けられた筒状の口３２の上端を覆うキャップの天井壁８２に設けられた穴８４内側を通過させる。
すると、そのきのこ５０を、その袋の開口部周縁が巻き掛けられた筒状の口３２に被せられた第２のキャップ８０に妨害されることなく、袋３０の外方に大きく伸長させることができる。
その際には、その袋３０の外方に伸長するきのこ５０下部の内側部分を、その袋の開口部周縁が巻き掛けられた筒状の口３２の上端を覆うキャップの穴８４周囲の天井壁８２上面であって、その袋の開口部周縁が巻き掛けられた筒状の口３２の上端よりも上方に位置するキャップの天井壁８２上面により支持する。
それと共に、その袋３０外方に伸長するきのこ５０下部の外側部分を、キャップの天井壁８２の外側周囲に延設された鍔８６上面であって、第２のキャップ８０を被せた袋の開口部周縁が巻き掛けられた筒状の口３２の上端よりも上方のキャップの天井壁８２上面とほぼ同一平面上に位置するキャップの鍔８６上面により支持する。
すると、その袋３０の外方に伸長するきのこ５０下部を、キャップの天井壁８２上面と鍔８６上面とにより、袋の開口部周縁が巻き掛けられた筒状の口３２の上端よりも上方に位置するキャップの天井壁８２上面とほぼ同一高さ位置に支持できる。
そして、その袋３０の外方に伸長するきのこ５０下部が、その周囲に扇状等に広がって、袋の開口部周縁が巻き掛けられた筒状の口３２周囲を覆うのを、防ぐことができる。
上記のようにして、袋３０の外方にきのこ５０を収穫するまでに伸長させた後には、図２に破線で示したように、カッタ７０の刃等を、キャップの鍔８６上面からキャップの天井壁８２上面に亙ってスライドさせる。
すると、そのカッタ７０の刃等を、袋３０の外方に伸長したきのこ５０下部に妨害されずに、キャップの鍔８６上面から該鍔上面とほぼ同一平面上に位置するキャップの天井壁８２上面に亙って、支障なく円滑にスライドさせることができる。そして、その袋３０の外方に伸長したきのこ５０を、その脆弱等な傘を手で持ち上げる等して痛めることなく、キャップの天井壁の穴８４近くのきのこ５０部分から容易かつ円滑に削ぎ取って収穫できる。
【００１９】
本発明の第１のキャップ６０においては、図１に示したように、容器の筒状の口１２の内径よりも小径の穴６４が、キャップの天井壁６２のほぼ中央に設けられた構造とすると良い。
同様に、本発明の第２のキャップ８０においては、図２に示したように、袋３０の開口部周縁が巻き掛けられた筒状の口３２の内径よりも小径の穴８４が、キャップの天井壁８２のほぼ中央に設けられた構造とすると良い。
【００２０】
その場合には、図３に示したように、容器の筒状の口１２又は袋の開口部周縁が巻き掛けられた筒状の口３２内側に覗く培地２０の周辺部分から発芽した発育状態の悪い側子や遅れっ子と呼ばれる小さなきのこ５０が生長するのを、そのきのこ５０の上方を覆うキャップの穴６４又は８４周囲の天井壁６２又は８２により、阻止できる。そして、その容器の筒状の口１２又は袋の開口部周縁が巻き掛けられた筒状の口３２内側に覗く培地のほぼ中央から発芽した発育状態の良いきのこ５０のみを、選別して、その上方のキャップ天井壁のほぼ中央に設けられた穴６４又は８４内側を通して、容器１０又は袋３０の外方に大きく生育させることができる。その結果、側子や遅れっ子を含まない良品質のきのこ栽培が可能となる。
【００２１】
本発明の第１のキャップ６０においては、図４に示したように、そのキャップの天井壁の穴６４を、筒状の口１２の内径と同一か又はそれに近い径まで大きく広げることも、可能である。その場合には、その容器の筒状の口１２内側を一杯になって、容器１０の外方に伸長するきのこ５０の生育を、第１のキャップの天井壁６２が妨害するのを、確実に防ぐことができる。
同様に、本発明の第２のキャップ８０においては、図５に示したように、そのキャップの天井壁の穴８４を、袋３０の開口部周縁が巻き掛けられた筒状の口３２の内径と同一か又はそれに近い径まで大きく広げることも、可能である。その場合には、その袋３０の開口部周縁が巻き掛けられた筒状の口３２内側を一杯になって袋３０の外方に伸長するきのこ５０の生育を、第２のキャップの天井壁８２が妨害するのを、確実に防ぐことができる。
【００２２】
本発明の第１のキャップ６０は、図１に示したような、１つの筒状の口１２を持つ瓶状をした容器１０の外に、図６に示したような、きのこ５０を伸長させる複数の筒状の口１２を持つ大型の容器１０にも、利用可能である。その場合には、図６に示したように、第１のキャップ６０は、その複数の筒状の口１２のそれぞれに被せる第１のキャップ６０の鍔６６同士を一連に繋いだ状態に形成することも、可能である。そして、その第１のキャップ６０を、容器の複数の筒状の口１２のそれぞれに一度に被せる構造とすることも、可能である。
【００２３】
第１のキャップ６０を容器の筒状の口１２に動かぬように係止させる手段は、図７に示したような、そのキャップの天井壁６２周縁の内側と外側とに２重に延設され帯リング６８間に容器の筒状の口１２の上部側壁を嵌入させるもの、あるいは、図８に示したような、そのキャップの天井壁６２周縁の内側に延設され帯リング６８を容器の筒状の口１２上部の内側周囲に係止させるもの等でも良い。
同様に、第２のキャップ８０を袋の開口部周縁が巻き掛けられた筒状の口３２に動かぬように係止させる手段は、図９に示したような、そのキャップの天井壁８２周縁の内側と外側とに２重に延設され帯リング８８間に袋の開口部周縁が巻き掛けられた筒状の口３２の上部側壁を嵌入させるもの、あるいは、図１０に示したような、そのキャップの天井壁８２周縁の内側に延設され帯リング８８を袋の開口部周縁が巻き掛けられた筒状の口３２上部の内側周囲に係止させるもの等でも良い。
【００２４】
【発明の効果】
以上説明したように、本発明の第１のキャップをきのこを栽培中の容器の筒状の口に被せれば、その容器の筒状の口を通して、容器の外方に伸長するきのこの下部が、容器の筒状の口周囲を覆うのを確実に防ぐことができる。そして、その容器の外方に伸長したきのこの可食部分を、その傘を手で持ち上げる等して痛めることなく、容器の筒状の口に被せられたキャップの天井壁近くのきのこ部分から、カッタ等により、手数を掛けずに容易に削ぎ取って収穫可能となる。
同様に、本発明の第２のキャップをきのこを栽培中の袋の開口部周縁が巻き掛けられた筒状の口に被せれば、その袋の開口部周縁が巻き掛けられた筒状の口を通して、袋の外方に伸長するきのこの下部が、袋の開口部周縁が巻き掛けられた筒状の口周囲を覆うのを確実に防ぐことができる。そして、その袋の外方に伸長したきのこの可食部分を、その傘を手で持ち上げる等して痛めることなく、袋の開口部周縁が巻き掛けられた筒状の口に被せられたキャップの天井壁近くのきのこ部分から、カッタ等により、手数を掛けずに容易に削ぎ取って収穫可能となる。
【図面の簡単な説明】
【図１】本発明の第１のキャップの使用状態を示す正面断面図である。
【図２】本発明の第２のキャップの使用状態を示す正面断面図である。
【図３】本発明の第１のキャップの使用状態を示す正面断面図である。
【図４】本発明の第１のキャップの使用状態を示す正面断面図である。
【図５】本発明の第２のキャップの使用状態を示す正面断面図である。
【図６】本発明の第１のキャップの使用状態を示す正面断面図である。
【図７】本発明の第１のキャップの使用状態を示す正面断面図である。
【図８】本発明の第１のキャップの使用状態を示す正面断面図である。
【図９】本発明の第２のキャップの使用状態を示す正面断面図である。
【図１０】本発明の第２のキャップの使用状態を示す正面断面図である。
【図１１】従来のきのこ栽培方法を示す正面断面図である。
【図１２】従来のきのこ栽培方法を示す正面断面図である。
【符号の説明】
１０  容器
１２  容器の筒状の口
２０  培地
３０  袋
３２  袋の開口部周縁が巻き掛けられた筒状の口
６０  第１のキャップ
８０  第２のキャップ
６２、８２  キャップの天井壁
６４、８４  キャップの穴
６６、８６  鍔
７０  カッタ
【図１】
2004305077.tif 000003
【図２】
2004305077.tif 000004
【図３】
2004305077.tif 000005
【図４】
2004305077.tif 000006
【図５】
2004305077.tif 000007
【図６】
2004305077.tif 000008
【図７】
2004305077.tif 000009
【図８】
2004305077.tif 000010
【図９】
2004305077.tif 000011
【図１０】
2004305077.tif 000012
【図１１】
2004305077.tif 000013
【図１２】
2004305077.tif 000014